(57)【要約】【課題】ディザ処理でモアレの発生を防止するために数個の閾値マトリクスをランダムに選択するようにした場合には、処理速度が遅くなり、構成も複雑になる。【解決手段】組織的ディザマトリクス５００は、分散特性を持つメインマトリクス５０１と、ランダム特性を持つサブマトリクス５０２で構成され、各階調レベル（０〜２５５）において、出力画像の周波数特性が、相対的に低い周波数成分から中間の周波数成分ないし高い周波数成分に向けて強度が相対的に増加する周波数特性となる。【選択図】図８
2008072676.tif 000002
【特許請求の範囲】
【請求項１】
入力される多値（Ｍ値）階調の画像データをより少ない少値（Ｎ値：Ｍ＞Ｎ＞２）の画像データにディザマトリクスを用いて変換する中間調処理をする画像処理装置において、前記ディザマトリクスは、出力画像の周波数特性が、相対的に低い周波数成分から中間の周波数成分ないし高い周波数成分に向けて強度が相対的に増加する周波数特性となるマトリクスであることを特徴とする画像処理装置。
【請求項２】
請求項１に記載の画像処理装置において、前記ディザマトリクスは分散特性を持つメインマトリクスと、ランダム特性を持つサブマトリクスとで構成される組織的ディザマトリクスであることを特徴とする画像処理装置。
【請求項３】
請求項２に記載の画像処理装置において、前記分散特性を持つメインマトリクスはベイヤー型マトリクスであることを特徴とする画像処理装置。
【請求項４】
請求項２又は３に記載の画像処理装置において、前記サブマトリクスは階調濃度に応じて周囲に割り当てられている閾値による発生率に基づいて閾値が割り当てられていることを特徴とする画像処理装置。
【請求項５】
請求項１ないし４のいずれかに記載の画像処理装置において、入力データが網点画像を含むときには前記ディザマトリクスを用いた中間調処理を行ない、前記入力データが網点画像を含まないときには前記ディザマトリクスと異なるディザマトリクスを用いた中間調処理を行なうことを特徴とする画像処理装置。
【請求項６】
入力される多値（Ｍ値）階調の画像データをより少ない少値（Ｎ値：Ｍ＞Ｎ＞２）の画像データにディザマトリクスを用いて変換する中間調処理をコンピュータに実行させるプログラムにおいて、出力画像の周波数特性が、相対的に低い周波数成分から中間の周波数成分ないし高い周波数成分に向けて強度が相対的に増加する周波数特性となる前記ディザマトリクスを用いた中間調処理を実行させることを特徴とするプログラム。
【請求項７】
請求項６に記載のプログラムにおいて、前記ディザマトリクスは分散特性を持つメインマトリクスと、ランダム特性を持つサブマトリクスとで構成される組織的ディザマトリクスであることを特徴とするプログラム。
【請求項８】
請求項７に記載のプログラムにおいて、前記分散特性を持つメインマトリクスはベイヤー型マトリクスであることを特徴とするプログラム。
【請求項９】
請求項７又は８に記載のプログラムにおいて、前記サブマトリクスは階調濃度に応じて周囲に割り当てられている閾値による発生率に基づいて閾値が割り当てられていることを特徴とするプログラム。
【請求項１０】
請求項６ないし９のいずれかに記載のプログラムにおいて、入力データが網点画像を含むときには前記ディザマトリクスを用いた中間調処理を行なわせ、前記入力データが網点画像を含まないときには前記ディザマトリクスと異なるディザマトリクスを用いた中間調処理を行なわせることを特徴とするプログラム。
【請求項１１】
入力される多値（Ｍ値）階調の画像データをより少ない少値（Ｎ値：Ｍ＞Ｎ＞２）の画像データにディザマトリクスを用いて変換処理する中間調処理を行ない、液滴を吐出する液体吐出ヘッドによって画像を形成する画像形成装置において、前記ディザマトリクスは、出力画像の周波数特性が、相対的に低い周波数成分から中間の周波数成分ないし高い周波数成分に向けて強度が相対的に増加する周波数特性となるマトリクスであることを特徴とする画像形成装置。
【請求項１２】
請求項１１に記載の画像形成装置において、前記ディザマトリクスは分散特性を持つメインマトリクスと、ランダム特性を持つサブマトリクスとで構成される組織的ディザマトリクスであることを特徴とする画像形成装置。
【請求項１３】
請求項１２に記載の画像形成装置において、前記分散特性を持つメインマトリクスはベイヤー型マトリクスであることを特徴とする画像形成装置。
【請求項１４】
請求項１２又は１３に記載の画像形成装置において、前記サブマトリクスは階調濃度に応じて周囲に割り当てられている閾値による発生率に基づいて閾値が割り当てられていることを特徴とする画像形成装置。
【請求項１５】
請求項１１ないし１４のいずれかに記載の画像形成装置において、入力データが網点画像を含むときには前記ディザマトリクスを用いた中間調処理を行ない、前記入力データが網点画像を含まないときには前記ディザマトリクスと異なるディザマトリクスを用いた中間調処理を行なう手段を備えていることを特徴とする画像形成装置。
【請求項１６】
入力される多値（Ｍ値）階調の画像データをより少ない少値（Ｎ値：Ｍ＞Ｎ＞２）の画像データにディザマトリクスを用いて変換処理する中間調処理を行ない、液滴を吐出する液体吐出ヘッドによって液滴を吐出させて画像を形成する画像形成方法において、出力画像の周波数特性が、相対的に低い周波数成分から中間の周波数成分ないし高い周波数成分に向けて強度が相対的に増加する周波数特性となる前記ディザマトリクスを用いて中間調処理を行なうことを特徴とする画像形成方法。
【請求項１７】
入力される多値（Ｍ値）階調の画像データをより少ない少値（Ｎ値：Ｍ＞Ｎ＞２）の画像データに変換するディザマトリクスにおいて、このディザマトリクスは、出力画像の周波数特性が、相対的に低い周波数成分から中間の周波数成分ないし高い周波数成分に向けて強度が相対的に増加する周波数特性となることを特徴とするディザマトリクス。
【発明の詳細な説明】
【技術分野】
【０００１】
本発明は画像処理装置、プログラム、画像形成装置、画像形成方法、ディザマトリクスに関する。
【背景技術】
【０００２】
プリンタ、ファクシミリ、複写装置、これらの複合機等の画像形成装置として、例えば、記録液（液体）の液滴を吐出する液体吐出ヘッドで構成した記録ヘッドを含む液体吐出装置を用いて、媒体（以下「用紙」ともいうが材質を限定するものではなく、また、被記録媒体、記録媒体、転写材、記録紙なども同義で使用する。）を搬送しながら、液体としての記録液（以下、インクともいう。）を用紙に付着させて画像形成（記録、印刷、印写、印字も同義語で用いる。）を行うものがある。
【０００３】
なお、画像形成装置は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与することをも意味する。また、液体とは記録液、インクに限るものではなく、画像形成を行うことができる液体であれば特に限定されるものではない。また、液体吐出装置とは、液体吐出ヘッドから液体を吐出する装置を意味し、画像を形成するものに限らない。
【０００４】
このような画像形成装置において、記録液滴のサイズとして、例えば、ドットなし、小ドット、中ドット、大ドットの４種類（４階調）程度の打ち分けしかできないことから、記録液滴のドットサイズで多階調を表現することができない。そこで、一般に、オリジナルよりもレベル数の少ない濃度階調（強度変調）と面積階調（面積変調）との組み合わせで中間調を再現するための手法の１つとしてディザ法が知られている。
【０００５】
ディザ法（２値ディザ法）は、ディザマトリクスの各行列の値を閾値とし、対応する座標点の画素の濃度と比較して、１（印画又は発光），０（無印画又は無発光）を決定し２値化する方法であり、原画データと閾値とを比較演算するだけで面積階調用の２値化データを得ることができ、高速演算が可能であるという利点がある。
【０００６】
また、ディザ法は、２値に限らず３値以上（多値）としたものもあり、例えば、インク滴の大きさを小中大の３段階に制御できるインクジェット記録装置によって画像を出力するときには、３つのディザマトリクスを用意して処理画素ごとに、０（無印画）、１（小滴印画）、２（中滴印画）、３（大滴印画）を決定することも行われている。
【０００７】
また、ディザマトリクスの閾値に決定法としてはさまざまな方法が提案されているが、広く知られているものとして、ベイヤー型ディザ、ランダム型ディザ、ブルーノイズ型ディザなどがある、これらは面積変調においてドットを特定の箇所に集中せず、一様に分布するように配置することを特徴とし、分散型に分類される。一方、ドットと一定の単位で固まるように配置させる集中型のものもある。集中型の例としては、ディザマトリクスの中にサブマトリクスを配置してスクリーン角を持たせたものが知られている。
【０００８】
ディザ法による中間調処理として、特許文献１には複数個の閾値マトリクス（ディザマトリクス）を用意しておき、中間調画像の複数画像毎又はランダムな時間間隔毎に、閾値マトリクスのうちの１つをランダムに選択することで、網点画像やディザ化した画像を処理したときに出力画像に生じるモアレ（縞模様）を防止することが記載されている。
【特許文献１】特開昭５７−１１９５６４号公報
【０００９】
特許文献２にも複数のディザパターンを発生するディザパターン発生装置と、乱数を発生する乱数発生装置とを備えて、乱数に応じてディザパターンを選択することが記載されている。
【特許文献２】特開平０４−２５０７６９号公報
【００１０】
また、擬似階調表現には誤差拡散法もあるが、誤差拡散法はディザと比べるとかなり複雑な処理となる。例えば、画素毎に閾値処理を行い、その際の誤差を保持しつつ後の計算に所定の比率で反映させることにより、ディザ処理では強制的に切り捨てられてしまう分の情報をも出力画像にフィードバックさせることができ、解像力等の面でディザ画像を上回る品質を得ることができる。
【発明の開示】
【発明が解決しようとする課題】
【００１１】
ところで、例えば画像読取装置と画像形成装置とを含む複合装置において、画像読取装置で原稿画像を読み取って画像処理装置で印刷出力するコピーモードにおいては、入力される画像データは、全てイメージデータとして取り込まれるため、高品位な出画像を得るためには、一度、イメージデータを像域分離し、入力原稿の各要素（文字なのか、連続調なのか、網点なのか）に応じた補正処理を施す必要がある。また、入力画像データを出力ドットパターンに変換する中間調処理においても、画像再現性に優れた誤差拡散処理が適用されるのが一般的である。
【００１２】
しかしながら、像域分離やそれに応じた補正処理を高速で行うには高い演算能力を有する画像処理装置（画像処理コントローラ）が必要になり、また、中間調処理における誤差拡散処理を行うためには上述したように量子化誤差を保持するために大量のバッファを確保しなければならないなど、高い処理能力を有する画像処理装置（画像処理コントローラ）が必要になる。その結果、装置全体のコストが大幅に増加する。
【００１３】
そこで、像域分離を省略し、中間調処理にディザ処理を採用することによって、高い処理能力を有する画像処理能力を有する画像処理コントローラを用いないでも、高速な処理を行うことができる。
【００１４】
しかし、その一方で、画像処理を簡略化することによって所謂モアレが発生することになる。このモアレは、原稿の持つ網点成分とディザマスクパターン（ディザマトリクス）との同期／非同期によって、部分的に欠落した画素が、あたかも模様のように出力画像の上に現れ、著しく画質を低下させることになる。また、ドットの欠落によって、画像濃度自体も低下することになるという課題を生じる。
【００１５】
そこで、前述した特許文献１、２に記載されているように、数個の閾値マトリクス（ディザマトリクス）を中間調画像の複数画像毎又はランダムな時間間隔毎にランダムに選択することでモアレ（縞模様）を防止する中間調処理を行うようにするのであるが、この構成では、ディザマトリクスを複数種類用意しなければならず、かつ、ディザマトリクスをランダムに選択しなければならないために、処理速度が遅くなり、構成も複雑になるという課題がある。
【００１６】
本発明は上記の課題に鑑みてなされたものであり、処理速度を低下することなくモアレの発生を低減することで出力画像品質を向上できる画像処理装置、プログラム、画像形成装置、画像形成方法、ディザマトリクスを提供することを目的とする。
【課題を解決するための手段】
【００１７】
上記の課題を解決するため、本発明に係る画像処理装置は、入力される多値（Ｍ値）階調の画像データをより少ない少値（Ｎ値：Ｍ＞Ｎ＞２）の画像データにディザマトリクスを用いて変換する中間調処理をする画像処理装置において、ディザマトリクスは、出力画像の周波数特性が、相対的に低い周波数成分から中間の周波数成分ないし高い周波数成分に向けて強度が相対的に増加する周波数特性となるマトリクスである構成とした。
【００１８】
ここで、ディザマトリクスは分散特性を持つメインマトリクスと、ランダム特性を持つサブマトリクスとで構成される組織的ディザマトリクスである構成とでき、この場合、分散特性を持つメインマトリクスはベイヤー型マトリクスである構成とでき、また、サブマトリクスは階調濃度に応じて周囲に割り当てられている閾値による発生率に基づいて閾値が割り当てられている構成、入力データが網点画像を含むときにはディザマトリクスを用いた中間調処理を行ない、入力データが網点画像を含まないときにはディザマトリクスと異なるディザマトリクスを用いた中間調処理を行なう構成とできる。
【００１９】
本発明に係るプログラムは、入力される多値（Ｍ値）階調の画像データをより少ない少値（Ｎ値：Ｍ＞Ｎ＞２）の画像データにディザマトリクスを用いて変換する中間調処理をコンピュータに実行させるプログラムにおいて、出力画像の周波数特性が、相対的に低い周波数成分から中間の周波数成分ないし高い周波数成分に向けて強度が相対的に増加する周波数特性となる前記ディザマトリクスを用いた中間調処理を実行させる構成とした。
【００２０】
ここで、ディザマトリクスは分散特性を持つメインマトリクスと、ランダム特性を持つサブマトリクスとで構成される組織的ディザマトリクスである構成とでき、この場合、分散特性を持つメインマトリクスはベイヤー型マトリクスである構成とでき、また、サブマトリクスは階調濃度に応じて周囲に割り当てられている閾値による発生率に基づいて閾値が割り当てられている構成、入力データが網点画像を含むときにはディザマトリクスを用いた中間調処理を行なわせ、入力データが網点画像を含まないときにはディザマトリクスと異なるディザマトリクスを用いた中間調処理を行なわせる構成とできる。
【００２１】
本発明に係る画像形成装置は、入力される多値（Ｍ値）階調の画像データをより少ない少値（Ｎ値：Ｍ＞Ｎ＞２）の画像データにディザマトリクスを用いて変換処理する中間調処理を行ない、液滴を吐出する液体吐出ヘッドによって画像を形成する画像形成装置において、ディザマトリクスは、出力画像の周波数特性が、相対的に低い周波数成分から中間の周波数成分ないし高い周波数成分に向けて強度が相対的に増加する周波数特性となるマトリクスである構成とした。
【００２２】
ここで、ディザマトリクスは分散特性を持つメインマトリクスと、ランダム特性を持つサブマトリクスとで構成される組織的ディザマトリクスである構成とでき、この場合、分散特性を持つメインマトリクスはベイヤー型マトリクスである構成とでき、また、サブマトリクスは階調濃度に応じて周囲に割り当てられている閾値による発生率に基づいて閾値が割り当てられている構成、入力データが網点画像を含むときにはディザマトリクスを用いた中間調処理を行ない、入力データが網点画像を含まないときにはディザマトリクスと異なるディザマトリクスを用いた中間調処理を行なう手段を備えている構成とできる。
【００２３】
本発明に係る画像形成方法は、入力される多値（Ｍ値）階調の画像データをより少ない少値（Ｎ値：Ｍ＞Ｎ＞２）の画像データにディザマトリクスを用いて変換処理する中間調処理を行ない、液滴を吐出する液体吐出ヘッドによって液滴を吐出させて画像を形成する画像形成方法において、出力画像の周波数特性が、相対的に低い周波数成分から中間の周波数成分ないし高い周波数成分に向けて強度が相対的に増加する周波数特性となるディザマトリクスを用いて中間調処理を行なう構成とした。
【００２４】
本発明に係るディザマトリクスは、入力される多値（Ｍ値）階調の画像データをより少ない少値（Ｎ値：Ｍ＞Ｎ＞２）の画像データに変換するディザマトリクスにおいて、出力画像の周波数特性が、相対的に低い周波数成分から中間の周波数成分ないし高い周波数成分に向けて強度が相対的に増加する周波数特性となる構成とした。
【発明の効果】
【００２５】
本発明に係る画像処理装置、プログラム、画像形成装置、画像形成方法によれば、出力画像の周波数特性が、相対的に低い周波数成分から中間の周波数成分ないし高い周波数成分に向けて強度が相対的に増加する周波数特性となるディザマトリクスを用いて中間調処理を行うので、処理速度を低下することなくモアレの発生を低減することで出力画像品質を向上できる。また、本発明に係るディザマスクによれば、出力画像の周波数特性が、相対的に低い周波数成分から中間の周波数成分ないし高い周波数成分に向けて強度が相対的に増加する周波数特性となるので、処理速度を低下することなくモアレの発生を低減することができる中間調処理が可能になる。
【発明を実施するための最良の形態】
【００２６】
以下、本発明の実施の形態について添付図面を参照して説明する。
本発明に係る画像形成装置の一例について図１ないし図２を参照して説明する。なお、図１は同画像形成装置の全体構成を示す概略構成図、図２は同装置のエンジンユニット部の平面説明図、図３は同じく拡大正面説明図である。
【００２７】
この画像形成装置は、装置本体１の内部（筺体内）に、画像を形成するための画像形成部（手段）２、副走査搬送部（手段）３等を有し、装置本体１の底部に設けた収容手段である給紙部（手段）４から被搬送部材である被記録媒体（以下「用紙」というが、材質を紙に限定するものではない。）５を１枚ずつ分離して給紙し、副走査搬送部３によって用紙５を画像形成部２に対向する位置で間歇的に搬送しながら、画像形成部２によって用紙５に液滴を吐出して所要の画像を形成（記録）した後、排紙搬送部６を通じて装置本体１の上面に形成した排紙トレイ７上に用紙５を排紙する。なお、画像形成部２及び副走査搬送部３はユニット化してエンジンユニット１００とし、装置本体１に対して着脱自在に装着している。
【００２８】
また、この画像形成装置は、画像形成部２で形成する画像データ（印刷データ）の入力系として、装置本体１の上部で排紙トレイ７の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読み取りを行い、走査された原稿画像がレンズ１９の後方に配置した画像読み取り素子２０で画像信号として読み込まれ、読み込まれた画像信号はデジタル化され画像処理され、画像処理した印刷データを印刷することができる。なお、コンタクトガラス１２上には原稿を押えるための圧板１０を備えている。
【００２９】
ここで、この画像形成装置の画像形成部２は、図２にも示すように、前側板１０１Ｆと後側板１０１Ｒとの間に横架したキャリッジガイド（ガイドロッド）２１と後ステー１０１Ｂに設けた図示しないガイドステーで、キャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００３０】
そして、このキャリッジ２３上には、それぞれブラック（Ｋ）インクを吐出する２個の液滴吐出ヘッドからなる記録ヘッド２４ｋ１、２４ｋ２と、シアン（Ｃ）インク、マゼンタ（Ｍ）インク、イエロー（Ｙ）インクを吐出するそれぞれ１個の液滴吐出ヘッドからなる記録ヘッド２４ｃ、２４ｍ、２４ｙ（色を区別しないとき及び総称するときは「記録ヘッド２４」という。）の計５個の液滴吐出ヘッドを搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００３１】
また、キャリッジ２３には各記録ヘッド２４に所要の色の記録液を供給するためにサブタンク２５を搭載している。一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５に図示しないチューブを介してインク（記録液）を補充供給する。なお、ブラックインクは１つのインクカートリッジ２６から２つのサブタンク２５に供給する構成としている。
【００３２】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００３３】
また、図３にも示すように、キャリッジ２３の主走査方向に沿って前側板１０１Ｆと後側板１０１Ｒとの間に、スリットを形成したリニアスケール１２８を張装し、キャリッジ２３にはリニアスケール１２８のスリットを検知する透過型フォトセンサからなるエンコーダセンサ１２９を設け、これらのリニアスケール１２８とエンコーダセンサ１２９によってキャリッジ２３の移動を検知するリニアエンコーダを構成している。
【００３４】
さらに、キャリッジ２３の走査方向一方側の非印字領域には、図２に示すように、記録ヘッド２４のノズルの状態を維持し、回復するための維持回復機構（装置）１２１を配置している。この維持回復機構１２１は、５個の記録ヘッド２４の各ノズル面２４ａをキャッピングするキャップ部材である、１個の保湿用を兼ねた吸引用キャップ１２２ａと、４個の保湿用キャップ１２２ｂ〜１２２ｅと、記録ヘッド２４のノズル面２４ａをワイピングするためのワイピング部材であるワイパーブレード１２４と、空吐出を行うための空吐出受け１２５とが配置されている。
【００３５】
さらに、キャリッジ２３の走査方向の他方側の非印字領域には、空吐出を行うための空吐出受け１２６を配置している。この空吐出受け１２６には開口１２７ａ〜１２７ｅを形成している。
【００３６】
副走査搬送部３は、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために交番電圧であるＡＣバイアス電圧が印加される帯電手段である帯電ローラ３４と、搬送ベルト３１を画像形成部２の対向する領域でガイドするプラテンガイド部材３５と、用紙５を搬送ローラ３２に対向する位置で搬送ベルト３１側に押し付ける第１加圧コロ（入口加圧コロ）３６と、搬送ローラ３２と画像形成手段である記録ヘッド３４との間で、用紙５をプラテンガイド部材３５に対向する位置で搬送ベルト３１側に押し付ける第２加圧コロ（先端加圧コロ）３７と、画像形成部２によって画像が形成された用紙５を押える押えガイド部材３８と、画像形成部２によって画像が形成された用紙５を搬送ベルト３１から分離するための分離爪３９とを備えている。
【００３７】
この副走査搬送部３の搬送ベルト３１は、副走査モータ１３１からタイミングベルト１３２及びタイミングローラ１３３を介して搬送ローラ３２が回転されることで、図２の用紙搬送方向（副走査方向）に周回するように構成している。
【００３８】
給紙部４は、装置本体１に抜き差し可能で、多数枚の用紙５を積載して収納する収容手段である給紙カセット４１と、給紙カセット４１内の用紙５を１枚ずつ分離して送り出すための給紙コロ４２及びフリクションパッド４３と、給紙される用紙５をレジストするレジストローラ対４４とを有している。
【００３９】
また、この給紙部４は、多数枚の用紙５を積載して収容するための手差しトレイ４６及び手差しトレイ４６から１枚ずつ用紙５を給紙するための手差しコロ４７と、装置本体１の下側にオプションで装着される給紙カセットや両面ユニットから給紙される用紙５を搬送するための縦搬送コロ４８を備えている。給紙コロ４２、レジストローラ４４、手差しコロ４７、縦搬送コロ４８などの副走査搬送部３へ用紙５を給送するための部材は図示しない電磁クラッチを介してＨＢ型ステッピングモータからなる給紙モータ（駆動手段）４９によって回転駆動される。
【００４０】
排紙搬送部６は、画像形成が行われた用紙５を搬送する排紙搬送ローラ対６１、６２と、用紙５を排紙トレイ７へ送り出すための排紙搬送ローラ対６３及び排紙ローラ６４とを備えている。
【００４１】
次に、この画像形成装置の制御部の概要について図４に示すブロック説明図を参照して説明する。
この制御部は、この画像形成装置全体の制御を司る、ＣＰＵ、ＲＯＭ、ＲＡＭ、ＶＲＡＭ、Ｉ／Ｏなどを含むマイクロコンピュータで構成した主制御部３０１及び印刷制御を司るマイクロコンピュータで構成した印刷制御部３０２とを備えている。本発明に係るプログラムはこの主制御部３０１内のＲＯＭに格納されて、ＣＰＵによって実行される。
【００４２】
そして、主制御部３０１は、通信回路３０３から入力される印刷処理の情報に基づいて用紙５に画像を形成するために、主走査モータ２７や副走査モータ１３１を主走査モータ駆動回路３１１及び副走査モータ駆動回路３１２を介して駆動制御するとともに、印刷制御部３０２に対して印刷用データを送出するなどの制御を行う。
【００４３】
また、主制御部３０１には、キャリッジ２３の位置を検出するキャリッジ位置検出回路３１３からの検出信号が入力され、主制御部３０１はこの検出信号に基づいてキャリッジ２３の移動位置及び移動速度を制御する。キャリッジ位置検出回路３１３は、キャリッジ２３の走査方向に配置されたリニアスケール（エンコーダシート）１２８のスリット数を、キャリッジ２３に搭載されたフォトセンサ（エンコーダセンサ）１２９で読み取って計数することで、キャリッジ２３の位置を検出する。主走査モータ駆動回路３１１は、主制御部３０１から入力されるキャリッジ移動量に応じた出力値、例えばＰＷＭ制御を行う場合にはＰＷＭ出力値に応じて主走査モータ２７を回転駆動させて、キャリッジ２３を所定位置に所定の速度で移動させる。
【００４４】
また、主制御部３０１には搬送ベルト３１の移動量を検出する搬送量検出回路３１４からの検出信号が入力され、主制御部３０１はこの検出信号に基づいて搬送ベルト３１の移動量及び移動速度を制御する。搬送量検出回路３１４は、搬送ローラ３２の回転軸に取り付けられたエンコーダホイールのスリット数を、フォトセンサ（エンコーダセンサ）で読み取って計数することで搬送量を検出する。副走査モータ駆動回路３１２は、主制御部３０１から入力される搬送量に応じて副走査モータ１３１を回転駆動させて、搬送ローラ３２を回転駆動して搬送ベルト３１を所定位置に所定の速度で移動させる。
【００４５】
また、主制御部３０１は、ＡＣバイアス供給部３１５を介して帯電ローラ３４に対してＡＣバイアスを与えることで搬送ベルト３１を帯電する制御を行う。主制御部３０１は、給紙モータ駆動回路３１６を介して給紙モータ４９を回転駆動する。主制御部３０１は、維持回復機構駆動用モータ駆動回路３１７を介して維持回復機構１２１の図示しないモータを回転駆動することにより、キャップ１２２の昇降、ワイパーブレード１２４の昇降、図示しない吸引ポンプの駆動などを行わせる。
【００４６】
また、主制御部３０１は、スキャナ制御部３１８を介して画像読取装置１１を制御する。主制御部３０１は、操作パネル３１９との間で所要の表示情報の送出や入力されるキー情報の取り込みなどを行う。
【００４７】
印刷制御部３０２は、主制御部３０１からの信号とキャリッジ位置検出回路３１３及び搬送量検出回路３１４などからのキャリッジ位置や搬送量に基づいて、記録ヘッド２４の液滴を吐出させるための圧力発生手段を駆動するためのデータを生成して、上述した画像データをシリアルデータでヘッド駆動回路３２１に転送するとともに、この画像データの転送及び転送の確定などに必要な転送クロックやラッチ信号、滴制御信号（マスク信号）などをヘッド駆動回路３２１に出力する以外にも、ＲＯＭに格納されている駆動信号のパターンデータをＤ／Ａ変換するＤ／Ａ変換器及び電圧増幅器、電流増幅器等で構成される駆動波形生成部及びヘッドドライバに与える駆動波形選択手段を含み、１の駆動パルス（駆動信号）或いは複数の駆動パルス（駆動信号）で構成される駆動波形を生成してヘッド駆動回路３２１に対して出力する。
【００４８】
ヘッド駆動回路３２１は、シリアルに入力される記録ヘッド２４の１行分に相当する画像データに基づいて印刷制御部３０２から与えられる駆動波形を構成する駆動信号を選択的に記録ヘッド７の液滴を吐出させるエネルギーを発生する駆動素子（例えば前述したような圧電素子）に対して印加することで記録ヘッド２４を駆動する。このとき、駆動波形を構成する駆動パルスを選択することによって、例えば、大滴（大ドット）、中滴（中ドット）、小滴（小ドット）など、大きさの異なるドットを打ち分けることができる。
【００４９】
このように構成したこの画像形成装置においては、搬送ベルト３１を駆動する搬送ローラ３２の回転量を検出して、この検出した回転量に応じて副走査モータ１３１を駆動制御するとともに、ＡＣバイアス供給部３１５から帯電ローラ３４に交番電圧である正負極の矩形波の高電圧を印加し、これによって、搬送ベルト３１には正と負の電荷が搬送ベルト３１の搬送方向に対して交互に帯状に印加され、搬送ベルト３１上に所定の帯電幅で帯電が行われて不平等電界が生成される。
【００５０】
そこで、用紙５が給紙部４から給紙されて、搬送ローラ３２と押えコロ３６との間に送り込まれて、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００５１】
そして、この搬送ベルト３１で用紙５を間歇的に搬送しながら、用紙５上に記録ヘッド２４から記録液の液滴を吐出して画像を記録（印刷）し、印刷が行われる用紙５の先端側を分離爪３７で搬送ベルト３１から分離して搬送ローラ３８で排紙搬送部６に送り出す。
【００５２】
また、印字（記録）待機中にはキャリッジ２３は維持回復機構１２１側に移動されて、キャップ１２２で記録ヘッド２４のノズル面がキャッピングされて、ノズルを湿潤状態に保つことによりインク乾燥による吐出不良を防止する。また、吸引及び保湿用キャップ１２２ａで記録ヘッド２４をキャッピングした状態でノズルから記録液を吸引し（「ノズル吸引」又は「ヘッド吸引」という。）し、増粘した記録液や気泡を排出する回復動作を行い、この回復動作によって記録ヘッド２４のノズル面に付着したインクを清掃除去するためにワイパーブレード１２４でワイピングを行なう。また、記録開始前、記録途中などに記録と関係しないインクを空吐出受け１２５に向けて吐出する空吐出動作を行う。これによって、記録ヘッド２４の安定した吐出性能を維持する。
【００５３】
次に、この画像形成装置における本発明に係る画像処理装置、本発明に係るプログラム、本発明に係る画像形成方法による中間調処理、本発明に係るディザマトリクスに関して説明する。
先ず、一般的に画像読取装置（スキャナ）で原稿画像を読み取って画像形成装置（プリンタ部）で出力するまでの画像処理の流れは、図５に示すように、スキャナ１１で読み取った原稿画像データに対し、入力補正部４０１において、スキャナγ補正部４１１、ＲＧＢ→ＹＵＶ変換部４１２、平滑化部４１３、エッジ強調部４１４、ＹＵＶ→ＲＧＢ変換部４１５、地肌除去部４１６、エッジ強調部４１７によって、入力される原稿画像データに対する補正を行う。
【００５４】
つまり、原稿画像を複写してプリント出力するコピーの場合、入力される画像データは、全て「イメージ」データとして取り込まれるが、このとき、スキャナの性能、入力原稿の状態（記録品質、汚れや破損、表面光沢）などにより、原稿よりも劣化した状態でデータが取り込まれることになる。そこで、入力補正処理部４０１では、この劣化を補正し、オブジェクト毎の特性を強調することでで、出力時の画像品質の改善を図っている。
【００５５】
この入力補正処理部４０１においては、処理能力があれば、像域分離部４１８によって文字と絵柄を最適なモードで読取るために読取り画像領域を分離する処理を行なって、各像域に対して上述したような補正を行う。つまり、文字と絵柄が混在した原稿を読取る場合に，文字を優先すると網点がつぶれ，逆に絵柄を有線すると文字がかすれる場合があることから、文字と絵柄領域を分けて各々に最適な処理を行えるようにする。
【００５６】
この入力補正処理部４０１から出力される補正後の画像データを入力する出力処理部４０２においては、色空間への変換（ＲＧＢ表色系→ＣＭＹ表色系）を行なうＣＭＭ処理部４２１、ＣＭＹの値から黒生成／下色除去を行なうＢＧ／ＵＣＲ処理部４２２、解像度に合わせて拡大処理を行なう変倍処理部４２３、装置の特性やユーザーの嗜好を反映した入出力補正を行なうプリンタγ補正部４２４、画像データを画像形成装置から噴射するドットのパターン配置に置き換えるディザマトリクスを含む中間調処理部４２５によって、所要の処理を行ない、図示しないが、中間調処理で得られた印刷画像データであるドットパターンデータを各スキャン毎のデータに分割し、更に記録を行なう各ノズル位置に合わせてデータ展開するラスタライジングを行って、印刷制御部３０２（プリンタ出力）に送出する。
【００５７】
この出力補正部４０２におけるＢ／ＵＣＲ処理部４２２、プリンタγ補正部４２３、中間調処理部４２５では像域分離部２１８の分離結果に応じた処理が行なわれる。
【００５８】
ところで、像域分離部２１８による像域分離の結果は、上述した補正処理部や出力処理部の処理をなす上で重要な情報となり、像域分離結果が間違っていると、そのまま間違った処理が行われて、結果として異常画像の発生に繋がることから、像域分離を行う部分には高い処理能力と性能が要求される。
【００５９】
このように像域分離を高速で正確に行うことができるかは画像処理コントローラの性能に左右され、十分な処理能力を備えていない画像処理コントローラを用いた場合には、パターンマッチングや周波数解析等を駆使する像域分離の演算は負荷が大きく、スループットが大きく低下してしまうことになるが、他方、十分な処理能力を備える画像処理コントローラを備えることは画像形成装置や画像処理装置などのコストが高くなるという問題を生じる。
【００６０】
そこで、低コスト化を図る画像形成装置では、像域分離を省略し、最低限の補正処理（弱い平滑化や、地肌除去程度）のみを適用する構成が採用され、更に、出力処理側でも中間調処理部４２５においても、中間調処理として、誤差拡散処理ではなくディザ処理を採用しなければならない。本発明はこの中間調処理部４２５に係るものである。
【００６１】
ディザ処理は、図６に示すように、同図（ａ）に示す入力された多値画像データを、同図（ｂ）に示すディザマトリクスの閾値と比較し、同図（ｃ）に示すようにドットパターンの配置に置き換える処理である。ディザ処理は、ディザマトリクスと入力データの一対比較でドットのＯＮ／ＯＦＦを決定することから、非常に処理が軽く、演算に必要なメモリも少量で済む。これに対して、誤差拡散処理では、ドットのＯＮ／ＯＦＦの判定に周辺の量子化誤差を反映して演算を行う必要があり、判定後も誤差値を保持し続けるためのメモリを確保する必要がある。画像品質的には、誤差拡散処理の方が、解像力、画像再現性等の点で優れるが、演算負荷の大きさとメモリコストの点から採用できない場合もある。
【００６２】
しかしながら、コピーモードにおいて、ディザ処理を採用した場合、原稿の網点パターンとの干渉によるモアレが発生する。つまり、図６に示したように、原稿画像上にいくらデータが存在したとしても、ディザマトリクスの閾値を超えない限り、ドットは生成されない。網点原稿のようにデータの分布が規則的な配置で構成されている場合、ディザ処理によるドットの欠損が逆に規則性を持ち、モアレとして現れる可能性がある。例えば図７（ａ）に示すような網点の原稿データを、万線基調を有するディザマトリクスでディザ処理を行なった場合、同図（ｂ）に示すように、そのまま万線基調との干渉によるモアレが出力画像に現出することになる。
【００６３】
ディザ処理は、ドットの発生方法により集中型と分散型に分けることができるが、特に集中型のディザと網点原稿の組合せにて、モアレが発生し易い。これは、集中型ディザが特定の配置に従ってドットを集中させるため、集中ディザの規則性と原稿の網点周期との同期／非同期部分にも規則性が発生し、モアレとして強調されてしまうためである。
【００６４】
そこで、本発明におけるディザマトリクスは、モアレの発生を抑制するとともに良好な画像再現性が得られるコピーモードに最適なディザ処理を行えるように、各階調レベル（０〜２５５、２５５がベタを示す。）において、出力画像の周波数特性が、相対的に低い周波数成分から中間の周波数成分ないし高い周波数成分に向けて強度が相対的に増加する周波数特性となる構成としたものである、
【００６５】
図８は本発明に係るディザマトリクスにおける階調レベル４０（同図（ａ））、同８０（同図（ｂ））、同１２０（同図（ｃ）、同１６０（同図（ｄ））について、画像データ（ドット配置パターン）の周波数特性を示したもので、横軸は周波数、縦軸は周波数成分の強度を示すパワースペクトル（振幅の２乗）をプロットしたものである。この図８から分かるように、本発明に係るディザマトリクスによる中間調処理を行なった出力画像の周波数特性は、相対的に低い周波数成分から中間の周波数成分ないし高い周波数成分に向けてなだらかに強度が相対的に増加する周波数特性となる。なお、すべての階調レベルについてこのような周波数特性とならない場合でも本発明による効果は得られる。
【００６６】
このような周波数特性は、従前知られているブルーノイズ特性を有するディザマトリクス、すなわち、図９に示すように、出力画像の周波数特性が、低周波成分の強度が小さく、ある周波数成分を境として高周波成分の強度が急激に増加する周波数特性とは著しく異なっている。
【００６７】
つまり、例えば特定の基調パターンが顕著に見える網点原稿（６５線）の周波数特性は、図１０に示すように、基調の周期に応じた周波数帯でピークが発生する。これに対して、分散性を高めた代表的なディザマトリクスである上述したブルーノイズ特性を有するディザマトリクスを適用する場合、網点原稿の周波数特性以上の高周波数成分（好ましくはｎ倍の成分：ｎは１以上の整数）を有していれば、原稿の網点位置に出力ドットが割り振られやすくなるが、あまりに高周波側にディザマトリクスの周波数特性が寄っていると、単位面積にドットを均一に割り振ろうとする特性が強くなり、固まりとして存在する原稿網点を再現するにはドットの密度が低くなり、出力画像の濃度低下につながるという不都合がある。
【００６８】
これに対して、本発明に係るディザマトリクスによれば、上述したように、ある程度低い周波数成分を有している（低周波成分から中周波成分までの部分だけで見ると所謂グリーンノイズ特性に相当している。）ことで、網点位置の再現性とドット密度を確保することができる。すなわち、ドットを分散はさせるが、多少の集中性を持たせていることで、網点の面積変調特性をも再現できるようになる。
【００６９】
この本発明に係る周波数特性を有するディザマトリクスを用いて網点原稿を再現した場合、例えば、図１１（ａ）に示すような網点の原稿データに対してディザ処理を行なった場合、同図（ｂ）に示すように再現画像上でのモアレはほとんど発生せず、前述した図７（ｂ）に示すような再現画像の品質に比べて著しく画像品質が向上することが分かる。
【００７０】
そこで、本発明に係るディザマトリクスの具体的な構成の一例について図１２以降を参照して説明する。
前述したように、ディザ処理である以上、ディザマトリクスの閾値の配置によって、原稿画像データとの同期／非同期は必ず発生する。問題となるのは、網点原稿が図１２に示すように、常に固定された周期で配置されていることである。なお、図１２（ａ）はＫ版：スクリーン角４５°の原稿網点画像（６００ｄｐｉ入力時）の画素間隔を模式的に示したものであり、同図（ｂ）は線数に対する水平画素ピッチ（６００ｄｐｉ入力時の網点ピッチ）を示している。
【００７１】
この図１２から分かるように、網点は、線数によってドット間のピッチは異なるものの、常に正方形をベースとした固定間隔でドットが配置され、そのドットが徐々に大きくなっていくことで階調を表現する。網点の発生座標が規則性を持って固定されているため、ディザマトリクスが規則性を持った閾値配置であると、わずかなズレも干渉モアレの発生につながり、最悪の場合、完全に非同期となり、ドットが全く再現できなくなる可能性もある。
【００７２】
この問題を回避するためには、必ず網点原稿と同期する部分を持つ閾値配置と、同期／非同期部分が周期性を持たない閾値配置とする必要がある。本発明に係るディザマトリクスでは、ランダム性を付加することで、この問題を解決する。ただし、単にランダムなディザマトリクスでは、ドットが局部に集中しすぎて、非常にノイジーな階調再現パターンとなってしまう。
【００７３】
そこで、本発明に係るディザマトリクスでは、大局的には分散特性性を持ち、局所的にランダム性を持つようするため、図１３（ａ）に示す組織的ディザマトリクス５００を、同図（ｂ）に示すメインマトリクス５０１と、このメインマトリクス５０１の各部を構成する同図（ｃ）に示すサブマトリクス５０２で構成し、メインマトリクス５００は分散型ディザの規則に則り閾値が配置され、サブマトリクス５０２にはランダムに閾値が配置されたものとしている。
【００７４】
このように、ディザマトリクスは分散特性を持つメインマトリクスと、ランダム特性を持つサブマトリクスとで構成される組織的ディザマトリクスである構成とすることで、容易に上述したような周波数特性とすることができるようになる。
【００７５】
この場合、メインマトリクス５０２には、ベイヤー（Ｂａｙｅｒ）型ディザの規則性を持ち込んでも良いし、その他の分散型ディザの規則性を持ち込んでも良い。ただ、網点原稿が正方形のドット配置をベースとしているため、規則性の参考とする分散型ディザも同様に正方形の閾値配置をベースとしたものの方が、より同期を取りやすくなり、ベイヤー型ディザはこの点で好ましい。また、メインマトリクス５０１よりもサブマトリクス５０２のサイズが大きくなると、ランダム特性の方が優位になってしまうことから、あくまでもメインマトリクス５０１のサイズの方をサブマトリクス５０２のサイズよりも大きくする必要がある。
【００７６】
サブマトリクス５０２にはランダムに閾値が配置されるが、完全なランダムでは、やはり局所集中の固まりが発生して画質を低下させてしまう可能性がある。これは、一つのサブマトリクス５０２内だけではなく、隣接するサブマトリクス５０２同士の間でも、ドットの局所集中が発生する可能性があるためである。前述した従来技術において、ランダムディザを切り替えることでテクスチャの発生を回避することが行われているが、サブマトリクス５０２同士の組合せで発生する局所集中までは想定されていないし、当然解決されていない。
【００７７】
このサブマトリクス５０２相互間での局所集中、すなわち、サブマトリクス５０２に跨ってドットが過剰に集中しすぎるのを回避するため、サブマトリクス５０２は階調濃度に応じて周囲（例えば周囲の８個）に割り当てられている閾値による発生率に基づいて閾値を割り当てることが好ましい。ただし、前述したブルーノイズ特性のディザマトリクスとの対比で説明したように、過剰にドットが集中し過ぎるのはもちろんのこと、分散し過ぎるのも逆に好ましくない、固まりとして存在する原稿網点を再現するときのドットの密度が低くなり、出力画像の濃度低下に繋がってしまうことになる。
【００７８】
具体的に説明すると、図１４（ａ）に示すベイヤー型のメインマトリクス５０１の個々のマトリクスについて例えば３×３のサブマトリクス５０２を配置するとき、３×３のブロックの任意の１点Ｐｘに閾値を配置するとき、同図（ｂ）に示すように、着目マトリクスＰｘ（＊を付したマトリクス）の位置でドットを発生させるか否かの閾値は、近接８近傍のマトリクス位置に重み付け（例えば、対角位置のマトリクスは重み「１」、左右上下位置のマトリクスは重み「３」とする。）を行い、閾値が既に配置されている位置（図では左上のマトリクス：○を付して示すマトリクスで発生している例。）の重み付け合計値に基づいて、周囲の発生率が階調に比例する一定の割合以下であれば、ＯＫ（発生させる。）ようにする（この例では、重み付け合計値が「１」であるので発生させることになる。）。
【００７９】
この場合、周囲の発生率をどの程度にするかは調整可能である。例えば、階調５０％のマトリクスを選ぶ場合、上記の例では、周囲のマトリクスの重み付け合計の最大値は「１６」（１×４＋３×４）となるので、薄い点にＯＮにする閾値を配置するとすれば、平均的には合計値が「８以下」になるマトリクスを選択することになるが、配置できるマトリクスが限られることになるので、ある程度、例えば３割は許容して合計値が「１０以下」になるマトリクスに配置するというようなことを行うことができる。
【００８０】
このように、サブマトリクスは階調濃度に応じて周囲に割り当てられている閾値による発生率に基づいて閾値が割り当てられている構成とすることによって、つまり、ランダム性を持たせつつ、一定の禁則配置（周囲の閾値による発生率が所定の比率以下であることを条件とする配置）が行われていることで、サブマトリクス相互間でドットが過剰に集中しすぎるのを回避することができ、より、前述した周波数特性を実現し易くなる。
【００８１】
以上のように構成される本発明に係るディザマトリクスを用いて中間調処理を行なう場合、ディザマトリクスは、出力するＣＭＹＫの各版に共通なマスクを使用することもできるが、ディザ処理後のドットがＣＭＹＫで重なりやすくなり、色の濁りや粒状感の低下につながるおそれがあるので、色版毎に異ならせることが好ましい。例えば、図１５に示すように、メインマトリクス５０１の配置順を入れ替える（ここでは、同図（ａ）のマトリクスを９０°回転させて配置することで同図（ｂ）のマトリクスとした例）ことで、ドットの発生順を各色で大きく異ならせることができる。
【００８２】
特に、印刷原稿の場合、ＣＭＹＫの各色毎に固有のスクリーン角を持っていることから、そのスクリーン角に合わせてメインマトリクス５０１を回転させることによって、より各色のドット再現性を向上させることができる。
【００８３】
また、図１６に示すように、同図（ａ）に示す正順マトリクスと、同図（ｂ）に示すように閾値配置を逆順にした逆順マトリクスとを、色毎に組み合わせることで各色のドットの重なりを低減することができる。特に、人の目の感度の高いＣとＭで逆順とする、あるいは、色の濁りに敏感なＹとＫとで逆順とすることが好ましい。
【００８４】
さらに、本発明に係るディザマトリクスを多値ディザに適用する場合、つまり、図１７（ａ）に示すように、滴サイズ（もしくは使用するインクの濃さ）に応じて再現階調区間を設定し、同図（ｂ）、（ｃ）、（ｄ）に示すように、各階調区間の値を割り当てた小ドット用、中ドット用、大ドット用の多値ディザマトリクスとすることができる。
【００８５】
また、液体吐出方式の画像形成装置には、ノズルを高密度で配置し、高画質記録を行うものがあり、この中には、ノズル配置をカラー対称に配置して双方向記録を行う事で、双方向色差を解消しつつ、印字の高速化を図ったものもある。ここでいう対称配置とは、副走査方向に配列した複数のノズルからなるノズル列を主走査方向に複数列配列し、同一色のインクを吐出するノズル列を２列以上有し、該同一色のインクを吐出するノズル列の間に異なる色のインクを吐出するノズル列を１列以上配列し、主走査方向に直交する軸を中心に、同一色のインクを吐出するノズル列を左右対称に配列する構成をいう。
【００８６】
例えば、図１８に示すように、印写方向に各色のノズル列が１列ずつ配列されたヘッド（例えば、ＹＭＣＫと配置されたヘッド（ノズルも同じ））を用いて、双方向印字すると、複数の記録液を重ねた部分では双方向色差が生じてしまうことになる。イエローとシアンの記録液を重ね打ちするとき、イエロー→シアンの順番に印刷したときと、シアン→イエローの順番で印刷したときとでは色調が違ってくる。記録ヘッドのノズルが、図１８に示すように、各色１列ずつ配列されている記録ヘッドを用いて双方向印刷をすることによって、滴吐出順序が、順方向（往路）ではイエロー→シアン、逆方向（復路）ではシアン→イエローとなり、色調が異なる帯状の色ムラが生じてしまうことになる。
【００８７】
これを解決するためには、副走査方向に配列した複数のノズルからなるノズル列を主走査方向に複数列配列し、同一色のインクを吐出するノズル列を２列以上有し、同一色のインクを吐出するノズル列の間に異なる色のインクを吐出するノズル列を１列以上配列する構成をとる。
【００８８】
例えば、図１９に示すように、Ｙインクを吐出するノズル列の間にＣ、Ｍインクを吐出するノズル列を配列するようにすることによって、往路、復路に関わらずＣ→Ｙの順で重ね合わせることもできるし、Ｙ→Ｃの順で重ね合わせることもできる。また、往路、復路に関わらずＭ→Ｙの順で重ね合わせることもできるし、Ｙ→Ｍの順で重ね合わせることもできる。これによって、色再現域を拡大しながら双方向印字することができ、色再現域が広いカラー印刷物を高速で印刷することが可能となる。
【００８９】
また、副走査方向に配列した複数のノズルからなるノズル列を主走査方向に複数列配列し、同一色のインクを吐出するノズル列を２列以上有し、該同一色のインクを吐出するノズル列の間に異なる色のインクを吐出するノズル列を１列以上配列し、主走査方向に直交する軸を中心に、同一色のインクを吐出するノズル列を左右対称に配列する構成をとることもできる。
【００９０】
例えば、図２０に示すように、主走査方向に直交する軸を中心に、同一色のインクを吐出するノズル列を左右対称に配列する、ここでは、Ｋを中心にして、左右にＣ、Ｍ、Ｙの順に配列することによって、より多くの色について往路、復路に関わらず任意の重ね順序で２種以上の色インクを重ね合わせることができる。これによって、さらに広い色再現域を得ながら双方向印字することができ、さらに色再現域が広いカラー印刷物を高速で印刷することが可能となる。
【００９１】
さらに、図２１に示すように、通常のイエロー（Ｙ）、マゼンタ（Ｍ）、シアン（Ｃ）、ブラック（Ｋ）の他に、色濃度の低いイエロー、マゼンタ、シアン、ブラック、即ち、フォトイエロー（ＰＹ）、フォトマゼンタ（ＰＭ）、フォトシアン（ＰＣ）を用いることもできる。これに加えて、フォトグレー（ＰＧ）を用いることもできる。色濃度の低いインクを用いることで、色再現域を拡大することに加えて、粒状感（ざらつき感）が抑制されたカラー印刷物を印刷することが可能となる。
【００９２】
このような高密度ノズル、対称ノズル構成を採用した画像形成装置では、高密度なデータを高速に処理する必要があり、演算負荷が急増することになる。本発明に係るディザマトリクスを用いた中間調処理を行なうことによって、演算負荷を軽減することができ、処理速度の確保並びにより高解像度化が可能になるといった効果を得ることもできる。
【００９３】
また、本発明に係るディザマトリクスを用いたディザ処理は、ハードウエアとして搭載するだけでなく、前述したように、プログラムとして、例えばプリンタモード用の中間調処理としてプリンタドライバへ組み込むことができる。これによって演算負荷を軽減することができ、特に、上記実施形態のようなコピーモードを有する画像形成装置における処理だけでなく、ホスト側からの画像データを印刷出力する画像形成装置に適用した場合、より早くホストコンピュータを印刷タスクから開放することができる。さらに、画像形成装置に対して印刷データを送出する情報処理装置側にも適用することができる（この場合の情報処理装置は本発明に係る画像処理装置でもある。）。
【００９４】
また、本発明に係るディザマトリクスを用いた中間調処理と本発明に係るディザマトリクス以外のディザマトリクスを用いた中間調処理とを切り替えることもできる。つまり、網点原稿画像に対するモアレの抑制や演算負荷という点では劣るものの、連続調原稿画像に対してはより高品質な出力が可能な中間調処理が存在する。そこで、例えば、図２２に示すように、これらの中間調処理をモード別に、例えば、網点原稿の使用頻度が高いコピーモード（及びＦＡＸモード）では本発明に係るディザマトリクスを用いた中間調処理（第１中間調処理）を、連続調原稿が主となるプリンタモードでは他の中間調処理（第２中間調処理）を選択することで、高品質な画像再現が可能である。これらの処理の切替えは、モードの選択に合わせて自動的に切り替えることもできるし、あるいは、ユーザーの指示によって切り替えるようにすることもできる。
【図面の簡単な説明】
【００９５】
【図１】本発明に係る画像処理装置、本発明に係るプログラム、本発明にディザマトリクスを備え、本発明に係る画像形成方法で画像を形成する本発明に係る画像形成装置の機構部の全体構成を説明する側面説明図である。
【図２】同機構部の要部平面説明図である。
【図３】同装置の要部拡大正面説明図である。
【図４】同装置の制御部の概要を示すブロック図である。
【図５】一般的なコピーモードにおける画像処理の流れの説明に供する説明図である。
【図６】ディザ処理の説明に供する説明図である。
【図７】網点画像とディザマトリクスの基調が一致した場合のモアレの発生の説明に供する説明図である。
【図８】本発明に係るディザマトリクスの周波数特性を異なる階調レベルについて説明する説明図である。
【図９】ブルーノイズ特性を有するディザマトリクスの説明に供する説明図である。
【図１０】網点画像の周波数特性の説明に供する説明図である。
【図１１】本発明に係るディザマトリクスの用いた中間調処理を行なった場合の網点画像の出力画像結果の説明に供する説明図である。
【図１２】一般的な網点画像の特徴の説明に供する説明図である。
【図１３】本発明に係るディザマトリクスの構成の一例を説明する説明図である。
【図１４】本発明に係るディザマトリクスにおけるサブマトリクスの閾値配置の説明に供する説明図である。
【図１５】ディザマトリクスを回転させて使用する場合の例の説明に供する説明図である。
【図１６】ディザマトリクスを正順及び逆順の２種類にして使用する場合の例の説明に供する。
【図１７】多値ディザマトリクスの説明に供する説明図である。
【図１８】ノズル列配置が非対称配置のヘッドの説明に供する説明図である。
【図１９】ノズル列配置が対称配置のヘッドの一例の説明に供する説明図である。
【図２０】ノズル列配置が対称配置のヘッドの他の例の説明に供する説明図である。
【図２１】ノズル列配置が対称配置のヘッドの更に他の例の説明に供する説明図である。
【図２２】中間調処理をモードに応じて切替える例の説明に供するフロー図である。
【符号の説明】
【００９６】
１…装置本体
２…画像形成部
３…副走査搬送部
４…給紙部
５…用紙（被記録媒体）
７…排紙搬送部
８…排紙トレイ
１１…画像読取部
２３…キャリッジ
２４…記録ヘッド
３１…搬送ベルト
３２…搬送ローラ
３０１…主制御部
３１３…スキャナ制御部
４２５…中間調処理部
５００…ディザマトリクス
５０１…メインマトリクス
５０２…サブマトリクス
【図１】
2008072676.tif 000003
【図２】
2008072676.tif 000004
【図３】
2008072676.tif 000005
【図４】
2008072676.tif 000006
【図５】
2008072676.tif 000007
【図６】
2008072676.tif 000008
【図８】
2008072676.tif 000009
【図９】
2008072676.tif 000010
【図１０】
2008072676.tif 000011
【図１２】
2008072676.tif 000012
【図１３】
2008072676.tif 000013
【図１４】
2008072676.tif 000014
【図１５】
2008072676.tif 000015
【図１６】
2008072676.tif 000016
【図１７】
2008072676.tif 000017
【図１８】
2008072676.tif 000018
【図１９】
2008072676.tif 000019
【図２０】
2008072676.tif 000020
【図２１】
2008072676.tif 000021
【図２２】
2008072676.tif 000022
【図７】
2008072676.tif 000023
【図１１】
2008072676.tif 000024